(57)【要約】【課題】  使用者が扱い易い形状に形成されたキャリーバーのハンドル及びこれを備えるキャリーケースを提供する。【解決手段】  一実施例においては、キャリーケース１０のキャリーバーのハンドル１であって、該キャリーバーのハンドル１の上面が該キャリーケース１０の下方への垂直な反りを有する形状に形成されていることを特徴とする、キャリーケース１０のキャリーバーのハンドル１を提供する。他の実施例においては、該キャリーバーのハンドル１が該キャリーケース１０の正面側への水平な反りをさらに有する。さらに他の実施例においては、該キャリーバーのハンドル１を備えるキャリーケース１０であって、該キャリーケース１０の正面の上辺に沿って延在する固定ハンドル１２，１２’をさらに備える、キャリーケース１を提供する。【選択図】  図１
0003220490.tif 000002
【実用新案登録請求の範囲】
【請求項１】
キャリーケース用のキャリーバーのハンドルであって、
上記キャリーバーのハンドルがキャリーケースに設けられたとした場合において上記キャリーバーのハンドルの上面が上記キャリーケースの上方から下方への垂直な反りを有する形状に形成されていることを特徴とする、キャリーケース用のキャリーバーのハンドル。
【請求項２】
上記キャリーバーのハンドルがキャリーケースに設けられたとした場合において上記キャリーバーのハンドルが上記キャリーケースの背面側から正面側への水平な反りをさらに有する形状に形成されていることを特徴とする、請求項１に記載のキャリーケース用のキャリーバーのハンドル。
【請求項３】
請求項１又は請求項２に記載のキャリーバーのハンドルを備えるキャリーケースであって、
上記キャリーケースの正面の上辺に沿って延在する固定ハンドルをさらに備える、キャリーケース。
【考案の詳細な説明】
【技術分野】
【０００１】
本考案は、キャリーケース用のキャリーバーのハンドルに関し、詳しくは、垂直方向の反りと水平方向の反りの２つの反りを有するキャリーバーのハンドル、及びこれを備えるキャリーケースに関する。
【背景技術】
【０００２】
高い技術的機能を追求した工業製品だけではなく、使用者である人間にとって扱い易く長時間使用しても疲れにくい形状を追求した工業製品の需要も高まっている。すなわち、人間工学に基づいて操作し易い形状につくられた工業製品が求められている。
【０００３】
キャリーケースは、概して、複数のキャスタと、水平方向に延在するキャリーバーのハンドルを備えるが、キャリーバーのハンドルの形状についても、使用者である人間にとってより扱い易いキャリーケースを提供するために改良の余地があると言えよう。
【先行技術文献】
【特許文献】
【０００４】
【特許文献１】実用新案登録第３１９４４５３号公報
【考案の概要】
【考案が解決しようとする課題】
【０００５】
本考案は、使用者が取扱い易い形状に形成されたキャリーバーのハンドル、及びこれを備えるキャリーケースを提供することを目的とする。
【課題を解決するための手段】
【０００６】
一実施例においては、キャリーケース用のキャリーバーのハンドルであって、該キャリーバーのハンドルがキャリーケースに設けられたとした場合において該キャリーバーのハンドルの上面が該キャリーケースの上方から下方への垂直な反りを有する形状に形成されていることを特徴とする、キャリーケース用のキャリーバーのハンドルを提供する。
【０００７】
他の実施例においては、該キャリーバーのハンドルがキャリーケースに設けられたとした場合において該キャリーバーのハンドルが該キャリーケースの背面側から正面側への水平な反りをさらに有する形状に形成されていることを特徴とする。
【０００８】
さらに他の実施例においては、該キャリーバーのハンドルを備えるキャリーケースであって、該キャリーケースの正面の上辺に沿って延在する固定ハンドルをさらに備える、キャリーケースを提供する。
【図面の簡単な説明】
【０００９】
【図１】本考案のキャリーバーのハンドルを備えるキャリーケースの正面図
【図２】本考案のキャリーバーのハンドルを備えるキャリーケースの平面図
【図３】本考案の一実施例におけるキャリーバーのハンドルを拡大して示す図。
【図４】使用者が脇の下に本考案のキャリーバーのハンドルを挟んでいるときの様子を示す図。
【考案を実施するための形態】
【００１０】
本考案のキャリーケース１０のキャリーバーのハンドル１について、添付の図１〜図４を参照しつつ以下に説明する。なお、本願の実用新案登録請求の範囲及び明細書中における「正面側」とは、図２に示されている正面側（紙面では下側）を意味し、「背面側」とは、図２に示されている背面側（紙面では上側）を意味するものとする。
【００１１】
図１は、本考案のキャリーバーのハンドル１を備えるキャリーケース１０の正面図である。キャリーバーのハンドル１の上面が、キャリーケース１０の下方へ少しだけ反っている。
【００１２】
図１に示されている一実施例においては、キャリーケース１０は、蓋側シェル及び身側シェルと、キャリーバーのハンドル１と、複数のキャスタ１４，１４’とを備えており、さらには、キャリーケース１０の正面の上辺と下辺のそれぞれに沿って、固定ハンドル１２，１２’を備えている。他の実施例においては、キャリーケース１０が蓋側シェル及び身側シェルを備えない型式のキャリーケース１０である場合もある。
【００１３】
図２は、本考案のキャリーバーのハンドル１を備えるキャリーケース１０の平面図である。キャリーバーのハンドル１が、キャリーケース１０の背面側から正面側へ水平に少しだけ反っている。
【００１４】
図３（ａ）は、本考案の一実施例におけるキャリーバーのハンドル１を拡大して示す正面図である。キャリーバーのハンドル１の上面が、キャリーケース１０の上方から下方への垂直な反り２を有する。図３（ａ）に示されているように、キャリーバーのハンドル１のエッジ部分は面取りされてアール（Ｒ）が施され得る。
【００１５】
図３（ｂ）は、一実施例におけるキャリーバーのハンドル１を拡大して示す平面図である。キャリーバーのハンドル１は、キャリーケース１０の背面側から正面側への水平な反り４をさらに有し得る。図３（ｂ）において、キャリーバーのハンドル１の中央部分に、キャリーバーのスライド杆６の固定を解除するためのボタン８が示されているが、このボタン８は、当技術分野で周知の技術によって製造されるものである。
【００１６】
図３（ｃ）は、一実施例におけるキャリーバーのハンドル１を拡大して示す側面図である。
【００１７】
キャリーバーのハンドル１は、加工性、耐衝撃性、曲げ疲労耐性等の機械的特性についてのバランスに優れている合成樹脂、木材、セラミック、金属及びスチールなどから製造され得る。
【００１８】
また、本考案の他の実施例におけるキャリーバーのハンドル１は、図３（ａ）及び図３（ｂ）に示されている反り２，４の程度よりも大きく反っている場合もあれば、小さく反っている場合もある。
【００１９】
図４は、キャリーケース１０の使用者２０が脇の下に本考案のキャリーバーのハンドル１を挟んでいるときの様子を示している。一例においては、使用者２０が階段を昇降するときなどに、片腕の脇の下にキャリーバーのハンドル１の反り２，４をフィットさせつつ、その腕の手でキャリーケース１０の固定ハンドル１２を掴むことにより、キャリーケース１０を安定よく持ち運ぶことが可能となる。
【００２０】
或いは、使用者２０の脇腹にキャリーバーのハンドル１の水平な反り４をフィットさせることにより、キャリーケース１０を安定させることもできる。使用者２０の脇腹にキャリーバーのハンドル１の水平な反り４をフィットさせると、キャリーケース１０がぐらつかずに安定するので、その使用者２０は自分の手を使ってスマートフォン等を操作することが容易となる。
【００２１】
以上の通り、２つの反り２，４を有するキャリーバーのハンドル１を備えるキャリーケース１０は、使用者の身体の一部にキャリーバーのハンドル１をフィットさせることにより扱い易いという利点がある。特には、使用者が、キャリーケース１０の正面の上辺に沿って延在する固定ハンドル１２を掴んだときに、使用者の脇の下にキャリーバーのハンドル１の２つの反り２，４がフィットすることにより、その使用者はキャリーケース１０を安定よく持ち運ぶことが可能となる。
【符号の説明】
【００２２】
１…キャリーバーのハンドル
２…（キャリーケースの下方への垂直な）反り
４…（キャリーケースの正面側への水平な）反り
６…（キャリーバーの）スライド杆
８…ボタン
１０…キャリーケース
１２…固定ハンドル
１２’…固定ハンドル
１４…キャスタ
１４’…キャスタ
２０…使用者
【図１】
0003220490.tif 000003
【図２】
0003220490.tif 000004
【図３】
0003220490.tif 000005
【図４】
0003220490.tif 000006